(57)【要約】【課題】剃り性能を損なうことなく、使用時に発生する音に対する使用者の不快感を低減させる。【解決手段】電気かみそり１は、グリップ部２およびヘッド部３と、ヘッド部３内に設けられた内刃４と、外側が露出する状態で内刃４を覆うようにヘッド部３に設けられた外刃５と、ヘッド部３内に設けられ内刃４を往復運動させる駆動部６と、低音を発生させる音発生部８とを備える。音発生部８は、駆動部６の動作に連動して動く打撃部８１と、打撃部８１により打撃される被打撃部８２とを備え、駆動部６の動作時に打撃部８１が被打撃部８２を打撃することによって音を発生させる。【選択図】図１
2012045052.tif 000002
【特許請求の範囲】
【請求項１】
ハウジングと、
前記ハウジング内に設けられた内刃と、
外側が露出する状態で前記内刃を覆うように前記ハウジングに設けられた外刃と、
前記ハウジング内に設けられ前記内刃を往復運動させる駆動部とを備えるとともに、
前記駆動部の動作に連動して動く打撃部と前記打撃部により打撃される被打撃部とを有し、前記駆動部の動作時に前記打撃部が前記被打撃部を打撃することによって、前記内刃の往復運動に起因して発生する動作音とは異なる周波数特性を有する音を発生させる音発生部を備える
ことを特徴とする電気かみそり。
【請求項２】
前記音発生部は、前記動作音の騒音成分より低周波の成分を前記動作音より多く含む音を発生させることを特徴とする請求項１記載の電気かみそり。
【請求項３】
前記被打撃部は、前記打撃部により打撃される本体部と、前記本体部に接続され前記本体部の振動に共振する共振部とを有することを特徴とする請求項１または２記載の電気かみそり。
【請求項４】
前記ハウジングには、前記外刃が設けられた位置とは異なる位置に、内部と外部とを貫通させて前記音発生部で発生された音を通過させる貫通孔が形成されていることを特徴とする請求項１〜３の何れか１項に記載の電気かみそり。
【請求項５】
前記貫通孔の開口サイズを変更するサイズ変更部を備えることを特徴とする請求項４記載の電気かみそり。
【請求項６】
前記ハウジングには、当該ハウジングの他の部分よりも薄厚である薄肉部が設けられ、
前記薄肉部は、前記被打撃部に接続され、前記被打撃部の振動が伝達される
ことを特徴とする請求項１または２記載の電気かみそり。
【請求項７】
前記薄肉部は、前記ハウジングの前記他の部分と一体に形成されていることを特徴とする請求項６記載の電気かみそり。
【発明の詳細な説明】
【技術分野】
【０００１】
本発明は、例えば髭などの体毛を剃るために用いられる電気かみそりに関する。
【背景技術】
【０００２】
従来から、使用者の髭を剃るための電気かみそりとして、内刃を往復運動させる往復式電気かみそりが知られている（例えば特許文献１参照）。上記電気かみそりは、往復運動することができるように設けられた内刃と、内刃を覆うように設けられた外刃とを備え、内刃を往復運動させることによって、外刃から導入された髭を内刃と外刃とで剃ることができる。
【０００３】
ところで、上記のような電気かみそりでは、使用時に、内刃の往復運動に起因する動作音が発生する。使用時に発生する動作音としては、例えば内刃が外刃を打撃する打撃音、または内刃と外刃とで髭を切断する際に発生する切断音などがある。
【０００４】
そこで、使用時の動作音を低減させる電気かみそりが種々開発されている。例えばモータの動力を内刃に伝える駆動部の形状および位置関係を規定することによって、使用時の動作音を小さくさせることができる。
【０００５】
一方、上記のような電気かみそりでは、基本性能である剃り性能を向上させるために内刃の往復運動の高速化が図られたり、使用者の操作性を考慮して機器全体の軽量化が図られたりしている。
【先行技術文献】
【特許文献】
【０００６】
【特許文献１】特開２０１０−８２２０４号公報
【発明の概要】
【発明が解決しようとする課題】
【０００７】
しかしながら、内刃の往復運動の高速化または機器全体の軽量化などが図られると、使用時に発生する動作音がさらに増大し、動作音を低減させる手法では、増大した動作音を十分に低減させることができなくなってきた。なお、使用時の動作音を低減させるために内刃の移動速度を遅くすると、電気かみそりの基本性能である剃り性能を低下させることになって好ましくない。
【０００８】
また、動作音の大きさが同じであっても、使用者にとって不快に感じる音（騒音）と不快には感じない音とがある。使用者の個人差または国民差（民族差）があるものの、例えば欧州人などは、電気かみそりの動作音の高周波成分つまり甲高さに対してより不快に感じる傾向がみられた。
【０００９】
上記より、従来の電気かみそりのように単に動作音を低減させるだけでは、使用時において使用者の不快感を十分に低減させることができなかった。
【００１０】
本発明は上記の点に鑑みて為され、本発明の目的は、剃り性能を損なうことなく、使用時に発生する音に対する使用者の不快感を低減させることができる電気かみそりを提供することにある。
【課題を解決するための手段】
【００１１】
本発明の電気かみそりは、ハウジングと、前記ハウジング内に設けられた内刃と、外側が露出する状態で前記内刃を覆うように前記ハウジングに設けられた外刃と、前記ハウジング内に設けられ前記内刃を往復運動させる駆動部とを備えるとともに、前記駆動部の動作に連動して動く打撃部と前記打撃部により打撃される被打撃部とを有し、前記駆動部の動作時に前記打撃部が前記被打撃部を打撃することによって、前記内刃の往復運動に起因して発生する動作音とは異なる周波数特性を有する音を発生させる音発生部を備えることを特徴とする。
【００１２】
この電気かみそりにおいて、前記音発生部は、前記動作音の騒音成分より低周波の成分を前記動作音より多く含む音を発生させることが好ましい。
【００１３】
この電気かみそりにおいて、前記被打撃部は、前記打撃部により打撃される本体部と、前記本体部に接続され前記本体部の振動に共振する共振部とを有することが好ましい。
【００１４】
この電気かみそりにおいて、前記ハウジングには、前記外刃が設けられた位置とは異なる位置に、内部と外部とを貫通させて前記音発生部で発生された音を通過させる貫通孔が形成されていることが好ましい。
【００１５】
この電気かみそりにおいて、前記貫通孔の開口サイズを変更するサイズ変更部を備えることが好ましい。
【００１６】
この電気かみそりにおいて、前記ハウジングには、当該ハウジングの他の部分よりも薄厚である薄肉部が設けられ、前記薄肉部は、前記被打撃部に接続され、前記被打撃部の振動が伝達されることが好ましい。
【００１７】
この電気かみそりにおいて、前記薄肉部は、前記ハウジングの前記他の部分と一体に形成されていることが好ましい。
【発明の効果】
【００１８】
本発明によれば、使用時に発生する音において動作音の騒音成分の割合を低くすることができる。例えば動作音の騒音成分が高周波成分である場合、使用時に発生する音において低周波成分の割合を高めて高周波成分の割合つまり甲高さを低くすることができる。これにより、使用時において、動作音の騒音成分を使用者に聞こえにくくさせることができるので、基本性能である剃り性能を低下させずに、使用時に発生する音に対する使用者の不快感を低減させることができる。
【図面の簡単な説明】
【００１９】
【図１】実施形態１に係る電気かみそりの外観図である。
【図２】同上に係る電気かみそりの要部の断面図である。
【図３】実施形態２に係る電気かみそりの要部の断面図である。
【図４】実施形態３に係る電気かみそりの要部の断面図である。
【図５】実施形態４に係る電気かみそりの要部の断面図である。
【図６】実施形態５に係る電気かみそりの要部の断面図である。
【図７】（ａ）は、従来の電気かみそりで発生する動作音の周波数特性を示す図、（ｂ）は、（ａ）の動作音より低周波成分を大きくした音の周波数特性を示す図である。
【発明を実施するための形態】
【００２０】
以下の実施形態１〜５では、使用者の髭を剃るために用いられる電気かみそりについて説明する。
【００２１】
（実施形態１）
実施形態１に係る電気かみそり１は、図１に示すように、使用者が把持可能なグリップ部２と、グリップ部２の上部に連結されたヘッド部３と、ヘッド部３内に設けられた複数の内刃４と、外側が露出する状態で複数の内刃４を覆うようにヘッド部３に設けられた複数の外刃５とを備えている。グリップ部２およびヘッド部３は、本発明のハウジングに相当する。また、本実施形態の電気かみそり１は、各内刃４を往復運動させる駆動部６と、駆動部６に電力を供給する電源部７とを備えている。さらに、本実施形態の電気かみそり１は、駆動部６の動作時に音を発生させる音発生部８を備えている。本実施形態の電気かみそり１は、３組の内刃４と外刃５との組み合わせがヘッド部３の上部における前後方向Ｘに並設された３枚刃の往復式電気かみそりとして構成されている。なお、電気かみそり１の前後方向Ｘ、幅方向Ｙおよび上下方向Ｚは、図１に示すように、それぞれ互いに直交する方向である。
【００２２】
グリップ部２は、使用者が把持可能な把持部である。グリップ部２には、操作スイッチ２１が正面に露出して設けられている。
【００２３】
ヘッド部３は、グリップ部２の長手方向端部（上部）に揺動自在に連結されているベース部３１と、各外刃５を取り付けるための外刃フレーム３２とを備えている。外刃フレーム３２は、ベース部３１の両側部に設けられた着脱釦（図示せず）によって、ベース部３１の上端に着脱自在に装着される。
【００２４】
ヘッド部３に取り付けられた外刃５としては、網目状外刃５１，５２とスリット状外刃５３とがある。複数の外刃５は、ヘッド部３の外刃フレーム３２の上端面に前後方向Ｘに一列に配設されている。具体的には、前側から後側に向けて、網目状外刃５１、スリット状外刃５３、網目状外刃５２が並設されている。網目状外刃５１，５２には、上方が凸となるようにＵ字状に湾曲させた長板状部材に多数の小孔（図示せず）が形成されている。各小孔には、使用時に髭が導入される。スリット状外刃５３には、コ字状に湾曲させた長板状部材に多数のスリットが形成されている。各スリットには、使用時に髭が導入される。
【００２５】
外刃５の内側には、外刃５の内側面を押圧するように複数の内刃４がそれぞれ配置されている。具体的には、網目状外刃５１に対応する内刃４１と、網目状外刃５２に対応する内刃４２と、スリット状外刃５３に対応するスリット状内刃（図示せず）とがヘッド部３に設けられている。内刃４は、ベース部３１の上部における幅方向Ｙに移動可能に配置され、駆動部６の駆動によって往復運動する。これにより、内刃４は、外刃５の網目から導入された髭を外刃５と協働して切断する。
【００２６】
駆動部６は、ヘッド部３に設けられたリニアアクチュエータであり、幅方向Ｙにおいて各内刃４を往復運動させる。図２に示すように、駆動部６は、基台６１と、固定子（ステータ）６２と、駆動子６３と、永久磁石６４と、ばね６５とを備え、グリップ部２の操作スイッチ２１（図１参照）のオン操作に基づいて電源部７から駆動電流（交番電流）が供給されるように電気的に構成されている。
【００２７】
固定子６２は磁性材料の焼結体または磁性材料の鉄板を積層したコア６２１に巻線６２２が施された電磁石により構成されている。固定子６２は、基台６１に設置された状態でヘッド部３のベース部３１の内部に収納されている。
【００２８】
駆動子６３は、磁性材料で形成され、永久磁石６４が接着されている。駆動子６３は、ばね６５によって支持され、ヘッド部３に形成されたレール（図示せず）に沿って駆動するように配置されている。ばね６５は、幅方向Ｙに伸縮して駆動子６３を揺動自在に支持する部材である。駆動子６３は、ばね６５により固定子６２に対して幅方向Ｙに移動自在に支持された状態で固定子６２のコア６２１の磁極面と永久磁石６４の磁極面との間にギャップ６６が形成されるようになっている。
【００２９】
上記のような構成の駆動部６は、グリップ部２の操作スイッチ２１へのオン操作に基づいて電源部７から電力供給されて固定子６２の巻線６２２に交番電流が流れると、固定子６２と永久磁石６４との間の吸引および反発により、永久磁石６４が接着された駆動子６３がばね６５を撓ませつつ幅方向Ｙに往復運動する。駆動部６の駆動周波数は、例えば２５０Ｈｚなどである。なお、ばね６５は、駆動子６３を揺動自在に支持する部材としての機能だけでなく、機器の共振周波数を設定するばねとしての機能も有している。
【００３０】
音発生部８は、図２に示すように、駆動部６の動作に連動して動く打撃部８１と、打撃部８１により打撃される被打撃部８２とを備えている。
【００３１】
打撃部８１は、例えば高周波帯域の振動を低減させる制振材料のように高周波帯域の音が生じにくい材料で形成され、駆動部６の駆動子６３に設けられ、駆動部６の駆動によって内刃４と連動して往復運動する。打撃部８１に用いられる制振材料としては、例えばシリコンゴムなどがある。
【００３２】
被打撃部８２は、例えば高周波帯域の振動を低減させる制振材料のように高周波帯域の音が生じにくい材料で形成され、ベース部３１の上部において、打撃部８１の往復運動によって打撃部８１と接触する位置に設けられている。被打撃部８２に用いられる制振材料としては、例えばシリコンゴムなどがある。
【００３３】
音発生部８は、駆動部６の動作時つまり内刃４の往復運動時に打撃部８１が被打撃部８２の自由端部を打撃することによって、内刃４の往復運動に起因して発生する動作音とは異なる周波数特性を有する音として、所望の低音の打撃音を発生させる。動作音とは異なる周波数特性を有する音を発生させるとは、内刃４の往復運動の周期と打撃周期とが同じであっても、動作音とは別の音を発生させることである。打撃音は、駆動部６の駆動子６３の１往復中に１回の割合で発生する。音発生部８は、使用時に内刃４の往復運動に起因して発生する動作音の騒音成分を使用者に聞こえにくくする打撃音を発生させる。具体的には、音発生部８は、動作音の騒音成分より低周波の成分を上記動作音より多く含み上記騒音成分を目立たなくする音（打撃音）を発生させる。動作音の騒音成分を目立たなくする音とは、動作音と同時に発生することによって、つまり動作音に重畳することによって、動作音の騒音成分を使用者に聞こえにくくする音である。音発生部８で発生させる打撃音は、周波数が５００Ｈｚ以下である音を主成分とすることが好ましい。さらに好ましい打撃音は、周波数が２５０Ｈｚ以下である音を主成分とする音である。また、被打撃部８２の共振周波数が２５０Ｈｚ以下であることが好ましい。使用時に発生する動作音としては、例えば内刃が外刃を打撃する打撃音、または内刃４と外刃５とで髭を切断する際に発生する切断音などがある。
【００３４】
本実施形態のように打撃部８１と被打撃部８２との少なくとも何れかに高周波帯域の音が生じにくい材料が用いられることによって、低周波帯域の音を主成分とする打撃音を発生させることができる。打撃音は、打撃部８１の往復運動が５００Ｈｚ以下であれば、５００Ｈｚ以下の音となるため、使用時に発生する音において低周波帯域の成分を増加させることができる。
【００３５】
また、本実施形態では、被打撃部８２の材料物性（密度、ヤング率、減衰係数）、保持状態または形状（厚さ、大きさなど）を設計することによって、被打撃部８２の振動特性を所望の特性にすることができ、使用時の音を使用者にとってより好ましい音にすることができる。
【００３６】
図１に示す電源部７は、バッテリと駆動回路とを備え、グリップ部２に内蔵されている。電源部７は、グリップ部２の操作スイッチ２１にオン操作が行われたときに、駆動部６の巻線６２２に交番電流を流すことによって駆動部６に電力を供給する。操作スイッチ２１にオフ操作が行われると、電源部７は駆動部６への電力供給を停止する。
【００３７】
次に、本実施形態に係る電気かみそり１の動作について説明する。使用者が本実施形態の電気かみそり１を用いて髭を剃る場合、まず、使用者は操作スイッチ２１に対してオン操作を行う。操作スイッチ２１がオン操作されると、電源部７から駆動部６に電力が供給され、駆動部６が内刃４を駆動し、幅方向Ｙにおいて内刃４が往復運動する。その後、使用者は、外刃５の表面を髭が生えている皮膚に軽く接触させて、電気かみそり１を前後方向Ｘに移動させる。すると、外刃５の網目には髭が導入される。外刃５の網目に導入された髭は内刃４と外刃５とによって剃られる。
【００３８】
上記のように使用者が電気かみそり１を使用しているとき、音発生部８では、打撃部８１が内刃４の往復運動と同じ周波数で連動して被打撃部８２を打撃し、動作音とは別の音として低周波帯域の音が発生する。
【００３９】
次に、従来の電気かみそり１で発生する動作音とこの動作音より低周波成分を大きくした音とに対する官能評価について説明する。従来の電気かみそり１で発生する動作音の周波数特性は図７（ｂ）に示す特性であり、従来の動作音より低周波成分を大きくした音の周波数特性は図７（ａ）に示す特性である。被験者は、１１人の男性の欧州人であり、評価方法はＳＤ法であり、「好ましさ・厭わしさ」などの形容詞対を用いた７段階評価である。被験者への音の呈示方法は、ヘッドホンによる両耳受聴である。上記のような評価条件で各被験者に図７（ａ）の音と図７（ｂ）の音とを呈示した結果、「好ましさ」の平均評価値は、図７（ａ）の音では２．０（７段階中）、図７（ｂ）の音では３．１（７段階中）となり、図７（ｂ）の音のほうが図７（ａ）の音よりも高い値となった。つまり、従来の動作音より低周波成分を大きくした音のほうが、従来の動作音よりも良好な評価結果が得られた。なお、図７の縦軸の１目盛は１０ｄＢである。
【００４０】
以上、本実施形態の電気かみそり１によれば、音発生部８の打撃部８１が駆動部６の動作に連動して被打撃部８２を打撃して、内刃４の往復運動に起因して発生する動作音とは異なる周波数特性を有する音を発生させることによって、使用時に発生する音の全体の周波数分布を変えることができ、その結果、使用時に発生する音において動作音の騒音成分である高周波成分の割合を低くすることができる。これにより、使用時において、動作音の高周波成分を使用者に聞こえにくくさせることができるので、電気かみそり１としての基本性能である髭剃りの性能を低下させずに、使用時に発生する音に対する使用者の不快感を低減させることができる。つまり、本実施形態の電気かみそり１によれば、使用時に発生する音において低周波成分の割合を高めることによって、使用者の官能評価値を上げることができる。
【００４１】
また、本実施形態の電気かみそり１によれば、内刃４を往復運動させる駆動部６に打撃部８１が設けられていることによって、打撃部８１を往復運動させるために新たな駆動部を追加する必要がない。これにより、電気かみそり１は、音発生部８を備えても、音発生部８を備えていない場合と比較して大型になることはなく、簡素な構成で低音を発生させることができる。
【００４２】
さらに、本実施形態の電気かみそり１によれば、音発生部８の打撃部８１および被打撃部８２の材料として高周波帯域の振動を低減させる制振材料を用いることによって、高周波帯域の音を発生させることなく、低周波帯域の音を容易に発生させることができる。
【００４３】
また、本実施形態の電気かみそり１によれば、打撃部８１と被打撃部８２とを備えるだけでよく、電気かみそり１の動作音自体を小さくさせる場合のように駆動部の形状および位置関係を変更する必要がないので、簡単な構成で使用者の不快感を低減することができる。
【００４４】
なお、音発生部８の打撃部８１および被打撃部８２は、少なくとも何れか一方のみが高周波帯域の振動を低減させる制振材料で形成されていればよい。音発生部８の打撃部８１および被打撃部８２の少なくとも一方の材料として上記制振材料を用いることによって、高周波帯域の音を発生させることなく、低周波帯域の音を容易に発生させることができる。
【００４５】
本実施形態の電気かみそり１によれば、使用時に発生する音において５００Ｈｚ以下の低音を増加させることによって、使用者の不快感をより低減させることができる。
【００４６】
なお、本実施形態の変形例として、打撃部８１および被打撃部８２は、ヘッド部３の外部に設けられてもよいし、内部に設けられてもよい。以下の実施形態２においても同様である。
【００４７】
（実施形態２）
実施形態２に係る電気かみそり１は、図３に示すように被打撃部８２が共振部８２２を備えている点で、実施形態１に係る電気かみそり１（図２参照）と相違する。以下、本実施形態の電気かみそり１について図１および図３を用いて説明する。なお、実施形態１の電気かみそり１と同様の構成要素については、同一の符号を付して説明を省略する。
【００４８】
本実施形態の音発生部８の被打撃部８２は、図３に示すように、打撃部８１により打撃される本体部８２１と、本体部８２１に接続され本体部８２１の振動に共振する共振部８２２とを備えている。なお、実施形態１の音発生部８（図２参照）と同様の機能については説明を省略する。
【００４９】
共振部８２２は、板状に形成された部材であり、例えば５００Ｈｚの低周波数で共振するように、本体部８２１の右方（図３の右方）において、下端がヘッド部３のベース部３１の上面に固定されて片持ち梁で設けられている。これにより、被打撃部８２は、本体部８２１の自由端部が打撃され、共振部８２２の自由端部が共振することによって、共振部８２２の共振周波数の音つまり低音を選択的に増幅させることができ、使用者にとって使用時の音を快適な音にすることができる。
【００５０】
また、本実施形態では、共振部８２２の材料物性（密度、ヤング率、減衰係数）、保持状態または形状（厚さ、大きさなど）を設計することによって、被打撃部８２の振動特性を所望の特性にすることができ、使用時の音を使用者にとってより好ましい音にすることができる。共振部８２２としては、例えば、形状が１ｍｍ×１ｍｍ×１０ｍｍであって硬度４０度のシリコンゴム（１次共振周波数：１６０Ｈｚ）、または形状が１ｍｍ×０．１ｍｍ×２０ｍｍの真鍮（１次共振周波数：１３０Ｈｚ）などがある。なお、共振部８２２の各材料の形状は、（前後方向Ｘの長さ）×（幅方向Ｙの長さ）×（上下方向Ｚの長さ）で表わしている。シリコンゴムの硬度は、ＪＩＳ  Ｋ  ６２５３に準拠したデュロメータタイプＡによって測定された値である。
【００５１】
次に、本実施形態に係る電気かみそり１の動作について説明する。使用者が本実施形態の電気かみそり１を用いて髭を剃る場合、実施形態１と同様に、使用者が操作スイッチ２１に対してオン操作を行うと、内刃４が往復運動し、内刃４と外刃５とが髭を剃る。
【００５２】
上記のように使用者が電気かみそり１を使用しているとき、音発生部８では、打撃部８１が内刃４の往復運動と同じ周波数で連動して被打撃部８２の本体部８２１を打撃する。本体部８２１が打撃されると、共振部８２２が所定の周波数で共振し、低周波帯域の音を増幅させる。
【００５３】
以上、本実施形態の電気かみそり１によれば、被打撃部８２の共振部８２２が共振することによって、音発生部８で発生した音のうち所定の周波数（共振周波数）の音を選択的に増幅させることができる。これにより、使用時の音（特に低周波帯域の音）の周波数特性を所望の特性にすることができるので、使用時の音を使用者にとってより好ましい音にすることができる。
【００５４】
また、本実施形態の電気かみそり１によれば、共振部８２２の材料物性（密度、ヤング率、減衰係数）、保持状態または形状（厚さ、大きさなど）を設計することによって、共振周波数を所望の周波数にすることができるので、使用時の音の音質を簡単に所望の音質にすることができる。
【００５５】
なお、本実施形態の変形例として、共振部８２２は、例えば弦のように両端を固定して張力を持たせた部材などであってもよい。
【００５６】
（実施形態３）
実施形態３に係る電気かみそり１は、図４に示すように、音発生部８で発生した音を通過させる貫通孔３３がヘッド部３に形成されている点で、実施形態１に係る電気かみそり１（図２参照）と相違する。以下、本実施形態の電気かみそり１について図１および図４を用いて説明する。なお、実施形態１の電気かみそり１と同様の構成要素については、同一の符号を付して説明を省略する。
【００５７】
本実施形態のヘッド部３のベース部３１には、図４に示すように、外刃５が設けられた位置とは異なる位置に、内部と外部とを貫通させる貫通孔３３が形成されている。貫通孔３３を通過する音の周波数特性は、貫通孔３３の開口サイズによって変化する。このため、貫通孔３３の開口サイズは、貫通孔３３を通過する音の周波数特性を所望の特性になるように設計される。
【００５８】
また、本実施形態の音発生部８の打撃部８１および被打撃部８２は、ベース部３１の外側に設けられるのではなく、ベース部３１の内部に設けられている。なお、実施形態１の音発生部８（図２参照）と同様の機能については説明を省略する。
【００５９】
次に、本実施形態に係る電気かみそり１の動作について説明する。使用者が本実施形態の電気かみそり１を用いて髭を剃る場合、実施形態１と同様に、使用者が操作スイッチ２１に対してオン操作を行うと、内刃４が往復運動し、内刃４と外刃５とが髭を剃る。
【００６０】
上記のように使用者が電気かみそり１を使用しているとき、音発生部８では、打撃部８１が内刃４の往復運動と同じ周波数で連動して被打撃部８２を打撃する。被打撃部８２１が打撃されると、低周波帯域の音が発生する。音発生部８で発生した低音は、貫通孔３３を通過してヘッド部３の外部に出力される。
【００６１】
以上、本実施形態の電気かみそり１によれば、ヘッド部３に貫通孔３３が形成されていることによって、音発生部８で発生した音を貫通孔３３によって内部から外部へ出力させることができるので、音発生部８で発生した音を減衰させることなく、外部の空間に出力させることができる。これにより、より大きな低音を使用者に聞かせることができる。
【００６２】
また、本実施形態の電気かみそり１によれば、貫通孔３３の開口サイズを設計することによって、貫通孔３３を通過する音の周波数特性を所望の特性にすることができるので、使用時の音を使用者にとってより好ましい音にすることができる。つまり、使用者の好みに合った音を発生させることができる。
【００６３】
なお、本実施形態の変形例として、電気かみそり１は、貫通孔３３の開口サイズを例えば機構的に変更するサイズ変更部（図示せず）を備えていてもよい。
【００６４】
本変形例の電気かみそり１によれば、貫通孔３３の開口サイズを変更することによって、貫通孔３３を通過する音の周波数特性を所望の特性にすることができるので、使用時の音を使用者にとってより好ましい音にすることができる。特に、本変形例の電気かみそり１では、製造後（出荷後）に、貫通孔３３を通過する音の周波数特性を調整することができるので、使用者ごとに、好みに合った音にすることができる。また、出荷前であっても、貫通孔３３を通過する音の周波数特性を簡単に微調整することができる。
【００６５】
また、本実施形態の他の変形例として、電気かみそり１は、ヘッド部３に貫通孔３３が形成された構成において、実施形態２のように被打撃部８２が本体部８２１と共振部８２２とを備える構成を適用してもよい。
【００６６】
（実施形態４）
実施形態４に係る電気かみそり１は、図５に示すように、ヘッド部３のベース部３１の一部が薄肉部３４である点で、実施形態１に係る電気かみそり１（図２参照）と相違する。以下、本実施形態の電気かみそり１について図１および図５を用いて説明する。なお、実施形態１の電気かみそり１と同様の構成要素については、同一の符号を付して説明を省略する。
【００６７】
本実施形態のヘッド部３のベース部３１には、図５に示すように、ベース部３１の他の部分３５よりも薄厚である薄肉部３４が設けられている。なお、実施形態１のヘッド部３（図２参照）と同様の機能については説明を省略する。
【００６８】
また、本実施形態の音発生部８の打撃部８１および被打撃部８２は、ベース部３１の外側に設けられるのではなく、ベース部３１の内部に設けられている。なお、実施形態１の音発生部８（図２参照）と同様の機能については説明を省略する。
【００６９】
薄肉部３４は、被打撃部８２に接続され、被打撃部８２の振動が伝達される。薄肉部３４は、打撃部８１の打撃による被打撃部８２の振動が伝達することによって振動し、低音を増幅させることができる。また、薄肉部３４は、強度を損なわない程度にできるだけ大きな面積であることが好ましい。さらに、より低い音を出すために、薄肉部３４の端部をゴムなどの柔構造で保持することによって、薄肉部３４の固有振動数を低下させて低音をより発生しやすくすることが好適である。
【００７０】
また、本実施形態では、薄肉部３４の材料物性（密度、ヤング率、減衰係数）、保持状態または形状（厚さ、大きさなど）を変更し、さまざまな材料の薄肉部３４をベース部３１に付け替えることによって、ヘッド部３の他の構造を共用させながら、音発生部８で発生した音の音質を使用者に合わせた音質に調整することができる。
【００７１】
次に、本実施形態に係る電気かみそり１の動作について説明する。使用者が本実施形態の電気かみそり１を用いて髭を剃る場合、実施形態１と同様に、使用者が操作スイッチ２１に対してオン操作を行うと、内刃４が往復運動し、内刃４と外刃５とが髭を剃る。
【００７２】
上記のように使用者が電気かみそり１を使用しているとき、音発生部８では、打撃部８１が内刃４の往復運動と同じ周波数で連動して被打撃部８２を打撃する。被打撃部８２が打撃されると、薄肉部３４が振動し、低周波帯域の音が増幅する。薄肉部３４は外部の空間と接触しているため、薄肉部３４で増幅された音は外部の空間に出力される。
【００７３】
以上、本実施形態の電気かみそり１によれば、ヘッド部３に設けられた薄肉部３４が振動して、直接、薄肉部３４から低音を外部の空間に出力させることができるので、低周波帯域の音を効率よく増幅させることができる。
【００７４】
また、本実施形態の電気かみそり１によれば、薄肉部３４の材料物性（密度、ヤング率、減衰係数）、保持状態または形状（厚さ、大きさなど）を設計することによって、薄肉部３４の振動特性を所望の特性にすることができるので、使用時の音の音質を簡単に調整することができる。これにより、使用時の音を使用者にとってより好ましい音にすることができる。
【００７５】
（実施形態５）
実施形態５に係る電気かみそり１は、図６に示すように薄肉部３４が他の部分３５と一体である点で、実施形態４に係る電気かみそり１（図５参照）と相違する。以下、本実施形態の電気かみそり１について図１および図６を用いて説明する。なお、実施形態４の電気かみそり１と同様の構成要素については、同一の符号を付して説明を省略する。
【００７６】
本実施形態の薄肉部３４は、図６に示すように、ヘッド部３のベース部３１において、他の部分３５より薄厚の状態で他の部分３５と一体に形成されている。これにより、ベース部３１に目地がなくなるため、ヘッド部３の防水性が向上し、外観を損ねることがない。なお、実施形態４のヘッド部３（図５参照）と同様の機能については説明を省略する。また、本実施形態に係る電気かみそり１の動作については、実施形態４に係る電気かみそり１の動作と同様である。
【００７７】
以上、本実施形態の電気かみそり１によれば、ヘッド部３において薄肉部３４と他の部分３５とが一体に形成されていることによって、薄肉部３４と他の部分３５との間に接合部が存在しないので、ヘッド部３の防水性を高めることができる。
【００７８】
なお、実施形態１〜５の変形例として、音発生部８は、打撃部８１と被打撃部８２との組み合わせを２組以上備えていてもよい。つまり、実施形態１〜５における低音を発生させたり、増強させたりする構造を複数箇所に設けてもよい。ただし、上記構造を複数箇所に設ける場合、例えば駆動部６の駆動子６３の移動方向が反転する２箇所に設置する場合、駆動子６３が１往復する間に打撃音が２回発生する。上記の場合、使用者の耳の位置と電気かみそり１との間の距離を２０ｃｍ以上と考えると、打撃音の周波数が２倍となって、設計値よりも周波数の高い音が使用者に聞こえることになり、低音を増強させることができなくなる。このため、上記構造は１箇所であることが好適である。
【００７９】
また、実施形態１〜５では、３組の内刃４と外刃５との組み合わせが前後方向Ｘに並設された３枚刃の電気かみそりとして構成されているが、上記には限定されない。実施形態１〜５の変形例として、例えば１組の内刃４と外刃５との組み合わせのみで構成された１枚刃の電気かみそりであってもよいし、２組の内刃４と外刃５との組み合わせで構成された２枚刃の電気かみそりであってもよいし、４組以上の内刃４と外刃５との組み合わせが並設された構成の電気かみそりであってもよい。
【００８０】
さらに、実施形態１〜５ではヘッド部３に防水機能を持たせているが、グリップ部２にも防水機能を持たせてもよい。グリップ部２とヘッド部３との両方に防水機能を持たせることによって、電気かみそり１を完全防水にすることができる。これにより、使用者は、電気かみそり１の全体を水洗いすることができるとともに、濡れた場所で電気かみそり１を使用することができる。
【００８１】
また、実施形態１〜５における低音を発生させて外部の空間に出力させる機能を、髭以外の体毛を剃るために用いられる電気かみそりに適用してもよい。
【符号の説明】
【００８２】
１  電気かみそり
２  グリップ部（ハウジング）
３  ヘッド部（ハウジング）
３３  貫通孔
３４  薄肉部
３５  他の部分
４  内刃
５  外刃
６  駆動部
８  音発生部
８１  打撃部
８２  被打撃部
８２１  本体部
８２２  共振部
【図１】
2012045052.tif 000003
【図２】
2012045052.tif 000004
【図３】
2012045052.tif 000005
【図４】
2012045052.tif 000006
【図５】
2012045052.tif 000007
【図６】
2012045052.tif 000008
【図７】
2012045052.tif 000009